(57)【特許請求の範囲】
【請求項１】
屋根の軒先に沿って設置され、前記軒先から落下する雨水を受け止める一次樋およびこの一次樋から溢れる雨水を受け止める二次樋と、
前記一次樋を前記軒先に取り付けるために前記軒先に取り付けられ、前記一次樋が取り付けられる取付片が、前記軒先に沿って前記一次樋の略全長に亘って延在された軒先受金具と、
前記取付片と前記一次樋との接触部分に介在され、前記一次樋から溢れて前記二次樋に向かう雨水を遮断する乾式防水材と、
を備えていることを特徴とする樋装置。
【請求項２】
請求項１に記載の樋装置において、
前記一次樋および前記二次樋は、底板の長手方向直交方向両端部から第１立上片および第２立上片を立ち上げた断面凹形状に形成され、
前記一次樋と前記二次樋との間に、前記一次樋を、前記二次樋から上方に離間させて前記取付片に接触する高さに支持する樋支持部材が設けられ、
この樋支持部材は、前記一次樋を、前記第１立上片を下にし前記底板を起立させた状態から、前記一次樋の長手方向に沿う方向の長手軸を中心に前記前記底板表面が上向きとなる方向に回動させるのに伴って、前記一次樋を前記二次樋から上方に移動させることが可能なガイド部を備えていることを特徴とする樋装置。
【請求項３】
請求項２に記載の樋装置において、
前記樋支持部材は、前記一次樋に取り付けられており、かつ、前記ガイド部として、前記第１立上片の近傍位置から前記底板の下方へ斜め方向に突出されて前記回動に伴って前記二次樋に先端部が当接して前記回動の支点となる傾斜片を備えていることを特徴とする樋装置。
【請求項４】
請求項２に記載の樋装置において、
前記樋支持部材は、前記二次樋の底板に取り付けられており、かつ、前記ガイド部として、前記一次樋を前記底板を起立させた状態で前記二次樋の底板に沿って前記軒先の奥方向へスライドさせるのに伴い、前記第１立上片先端部を上方移動させて前記一次樋に前記回動を生じさせる傾斜片を備えていることを特徴とする樋装置。
【請求項５】
請求項２〜請求項４のいずれか１項に記載の樋装置において、
前記一次樋の前記第１立上片の上端部には、前記底板に対向する方向に折り返されて、前記乾式防水材を介して前記取付片に当接される折返し片が設けられ、
この折返し片の先端部には、樋側係合部が設けられ、
前記軒先受金具には、前記樋側係合部と係合して前記折返し片の前記取付片に対する前記長手軸直交方向の位置決めが可能な金具側係合部が設けられていることを特徴とする樋装置。
【請求項６】
請求項５に記載の樋装置において、
前記樋側係合部は、前記折返し片の先端部から前記底板の方向に断面Ｌ字状に折り曲げられた係合片を備え、
前記金具側係合部は、前記取付片の先端から断面Ｌ字状に垂下された係合片を備え、
両係合部は、両係合片を面当たりさせて係合状態としたときに、同時に前記折返し片と前記取付片とを乾式防水材を介して当接可能に形成されていることを特徴とする樋装置。
【請求項７】
請求項５または請求項６に記載の樋装置において、
前記軒先受金具は、前記取付片が前記軒先に固定された基部から片持ち支持されて上下方向に弾性変形可能に形成されていることを特徴とする樋装置。
【請求項８】
請求項２〜請求項７のいずれか１項に記載の樋装置の施工方法であって、
前記軒先受金具および前記二次樋を、工場において屋根ユニットの前記軒先に設置し、
前記一次樋は、前記折返し片にあらかじめ乾式防水材を設置しておいて、建築現場で前記屋根ユニットに設置し、
この一次樋の設置時に、
前記一次樋を、前記底板を起立状態として前記第１立上片を前記軒先と前記二次樋との間に差し込む工程と、
その後、前記一次樋を、前記底板が上向きとなる方向に回動させるとともに、前記二次樋から上方に移動させて前記折返し片にあらかじめ設けられている乾式防水材を前記取付片に密着させる工程と、
を実行することを特徴とする樋装置の施工方法。
【請求項９】
請求項５〜請求項７のいずれか１項に記載の樋装置の施工方法であって、
前記軒先受金具および前記二次樋を、工場において屋根ユニットの前記軒先に設置し、
前記一次樋は、前記折返し片にあらかじめ乾式防水材を設置しておいて、建築現場で前記屋根ユニットに設置し、
この一次樋の設置時に、
前記一次樋を、前記底板を起立状態として前記第１立上片を前記軒先と前記二次樋との間に差し込み前記樋側係合部を前記金具側係合部よりも奥に配置させる工程と、
その後、前記一次樋を、前記底板が上向きとなる方向に回動させるとともに、前記二次樋から上方に移動させながら前記樋側係合部を前記金具側係合部に係合させて、前記折返し片にあらかじめ設けられている乾式防水材を前記取付片に密着させる工程と、
を実行することを特徴とする樋装置の施工方法。
【発明の詳細な説明】
【技術分野】
【０００１】
本発明は、樋装置に関し、特に、一次樋と、この一次樋から溢れた雨水を受け止める二次樋とを備えた樋装置およびその樋装置の施工方法に関する。
【背景技術】
【０００２】
従来、一次樋と、この一次樋から溢れた雨水を受け止める二次樋とを備えた樋装置が知られている（例えば、特許文献１参照）。
この特許文献１には、屋根の軒先が建物の外壁よりも内側の位置に配置され、外壁よりも内側位置に、屋根から流れる雨水を受け止める一次樋が設けられ、この一次樋の下方に一次樋から溢れた雨水を受け止める二次樋が設けられた樋装置が開示されている。
【先行技術文献】
【特許文献】
【０００３】
【特許文献１】特開２００６−３１６４９３号公報
【発明の概要】
【発明が解決しようとする課題】
【０００４】
しかしながら、上述のような樋装置では、一次樋から溢れた雨水が、二次樋で受け止められるようになっているものの、両樋の下方居室などが存在する場合、雨漏りを確実に防止するために、樋装置の水密性をいっそう確実にすることが求められていた。
【０００５】
本発明は、上述の課題を解決することを目的とするものであり、水密性の向上を図ることのできる樋装置を提供することを目的とする。
【課題を解決するための手段】
【０００６】
上記目的を達成するために本発明は、屋根の軒先に沿って設置され、前記軒先から落下する雨水を受け止める一次樋およびこの一次樋から溢れる雨水を受け止める二次樋と、前記一次樋を前記軒先に取り付けるために前記軒先に取り付けられ、前記一次樋が取り付けられる取付片が、前記軒先に沿って前記一次樋の略全長に亘って延在された軒先受金具と、前記取付片と前記一次樋との接触部分に介在され、前記一次樋から溢れて前記二次樋に向かう雨水を遮断する乾式防水材と、を備えていることを特徴とする樋装置とした。
【０００７】
また、請求項２に記載の発明は、請求項１に記載の樋装置において、前記一次樋および前記二次樋は、底板の長手方向直交方向両端部から第１立上片および第２立上片を立ち上げた断面凹形状に形成され、前記一次樋と前記二次樋との間に、前記一次樋を、前記二次樋から上方に離間させて前記取付片に接触する高さに支持する樋支持部材が設けられ、この樋支持部材は、前記一次樋を、前記第１立上片を下にし前記底板を起立させた状態から、前記一次樋の長手方向に沿う方向の長手軸を中心に前記底板表面が上向きとなる方向に回動させるのに伴って、前記一次樋を前記二次樋から上方に移動させることが可能なガイド部を備えていることを特徴とする。
また、請求項３に記載の発明は、請求項２に記載の樋装置において、前記樋支持部材は、前記一次樋に取り付けられており、かつ、前記ガイド部として、前記第１立上片の近傍位置から前記底板の下方へ斜め方向に突出されて前記回動に伴って前記二次樋に先端部が当接して前記回動の支点となる傾斜片を備えていることを特徴とする。
また、請求項４に記載の発明は、請求項２に記載の樋装置において、前記樋支持部材は、前記二次樋の底板に取り付けられており、かつ、前記ガイド部として、前記一次樋を前記底板を起立させた状態で前記二次樋の底板に沿って前記軒先の奥方向へスライドさせるのに伴い、前記第１立上片先端部を上方移動させて前記一次樋に前記回動を生じさせる傾斜片を備えていることを特徴とする。
また、請求項５に記載の発明は、請求項２〜請求項４のいずれか１項に記載の樋装置において、前記一次樋の前記第１立上片の上端部には、前記底板に対向する方向に折り返されて、前記乾式防水材を介して前記取付片に当接される折返し片が設けられ、この折返し片の先端部には、樋側係合部が設けられ、前記軒先受金具には、前記樋側係合部と係合して前記折返し片の前記取付片に対する前記長手軸直交方向の位置決めが可能な金具側係合部が設けられていることを特徴とする。
また、請求項６に記載の発明は、請求項５に記載の樋装置において、前記樋側係合部は、前記折返し片の先端部から前記底板の方向に断面Ｌ字状に折り曲げられた係合片を備え、前記金具側係合部は、前記取付片の先端から断面Ｌ字状に垂下された係合片を備え、両係合部は、両係合片を面当たりさせて係合状態としたときに、同時に前記折返し片と前記取付片とを乾式防水材を介して当接可能に形成されていることを特徴とする。
請求項７に記載の発明は、請求項５または請求項６に記載の樋装置において、前記軒先受金具は、前記取付片が前記軒先に固定された基部から片持ち支持されて上下方向に弾性変形可能に形成されていることを特徴とする。
【０００８】
また、請求項８に記載の発明は、請求項２〜請求項７のいずれか１項に記載の樋装置の施工方法であって、前記軒先受金具および前記二次樋を、工場において屋根ユニットの前記軒先に設置し、前記一次樋は、前記折返し片にあらかじめ乾式防水材を設置しておいて、建築現場で前記屋根ユニットに設置し、この一次樋の設置時に、前記一次樋を、前記底板を起立状態として前記第１立上片を前記軒先と前記二次樋との間に差し込む工程と、その後、前記一次樋を、前記底板が上向きとなる方向に回動させるとともに、前記二次樋から上方に移動させて前記折返し片にあらかじめ設けられている乾式防水材を前記取付片に密着させる工程と、を実行することを特徴とする樋装置の施工方法とした。
また、請求項９に記載の発明は、請求項５〜請求項７のいずれか１項に記載の樋装置の施工方法であって、前記軒先受金具および前記二次樋を、工場において屋根ユニットの前記軒先に設置し、前記一次樋は、前記折返し片にあらかじめ乾式防水材を設置しておいて、建築現場で前記屋根ユニットに設置し、この一次樋の設置時に、前記一次樋を、前記底板を起立状態として前記第１立上片を前記軒先と前記二次樋との間に差し込み前記樋側係合部を前記金具側係合部よりも奥に配置させる工程と、その後、前記一次樋を、前記底板が上向きとなる方向に回動させるとともに、前記二次樋から上方に移動させながら前記樋側係合部を前記金具側係合部に係合させて、前記折返し片にあらかじめ設けられている乾式防水材を前記取付片に密着させる工程と、を実行することを特徴とする樋装置の施工方法とした。
【発明の効果】
【０００９】
本発明の樋装置では、軒先に取り付けられた軒先受金具の取付片と一次樋との間に乾式防水材が介在されて、一次樋から溢れて二次樋に向かう雨水を遮断するようにしている。このため、一次樋から溢れて二次樋に向かう雨水量を抑えることができ、水密性を向上させることができる。
【００１０】
さらに、請求項２に記載の発明では、一次樋の設置時には、一次樋を、底板を起立状態として第１立上片を軒先と二次樋との間に差し込んで底板表面が上向きとなる方向に回動させると、一次樋は、樋支持部材にガイド部にガイドされ、回動に伴って二次樋に対し上方に移動し取付片に当接する高さで支持される。
このように、一次樋の回動および二次樋に対して上方への移動が、樋支持部材のガイド部によりガイドされるため、ガイド部を有しないものと比較して、一次樋の設置が容易となる。しかも、一次樋が上記のように回動しながら取付片に当接する高さにガイドされて支持されるため、一次樋を取付片に対して水平方向へスライドさせて当接させるものと比較して、両者間に介在される乾式防水材が擦れ合うのを抑制し、この擦れ合いによる乾式防水材の変形や破損を抑制し、水密性を向上することができる。
なお、請求項３に記載の発明では、一次樋の設置時に、一次樋を上記のように回動させるのに伴って、一次樋に取り付けられた樋支持部材の傾斜片の先端部が二次樋に当接し、これが支点となって一次樋が回動しながら、二次樋に対して上方に移動する。
また、請求項４に記載の発明では、一次樋の設置時に、一次樋の第１立上片を上記のように軒先と二次樋との間に差し込んでスライドさせると、二次樋の底板に取り付けられた樋支持部材の傾斜片にガイドされて、第１立上片の先端部が上方へ移動し、これに伴い一次樋が上記のように回動されるとともに、傾斜片に沿って上方へ移動する。
【００１１】
また、請求項５に記載の発明では、一次樋の設置時に、一次樋を回動させるとともに二次樋から上方に移動させ、第１立上片の樋側係合部と軒先受金具の金具側係合部とを係合させ、一次樋の長手軸に直交する方向の位置決めがなされる。
【００１２】
また、請求項６に記載の発明では、樋側係合部を金具側係合部に係合させ、この係合状態で一次樋を、回動させた際に、樋側係合部としての係合片と金具側係合部としての係合片とが面当たりした係合状態としたときに、同時に折返し片と取付片とが乾式防水材を介して当接する。
このように、２面で同時に当接するため、位置決めが容易であるとともに、折返し片および取付片と乾式防水材との接触性が安定し、水密性が良好となる。
【００１３】
請求項７に記載の発明では、一次樋の設置作業時に、一次樋を上方に移動させた際に、一次樋が取付片を強く押し上げた際には、取付片が基部を支点として弾性変形することで荷重を吸収することができる。したがって、軒先受金具および一次樋の破損を抑制できるとともに、乾式防水材が過剰に圧縮されるのを抑制し、乾式防水材の防水性能を高いレベルで保持することができ、さらに、一次樋の設置状態では、軒先受金具の取付片の弾性力に基づいて、取付片と一次樋の折返し片との乾式防水材に対する密着度があらかじめ設定された状態に維持され、これにより、所望の水密性を確保できる。
【００１４】
請求項８および請求項９に記載の発明では、工場において屋根ユニットに軒先受金具および二次樋を設置しておき、建築現場において、屋根ユニットを建物に組み付けた後、屋根ユニットに一次樋を設置する。
【００１５】
そして、請求項８に記載の発明では、一次樋の設置時に、底板を起立状態として第１立上片を軒先と二次樋との間に差し込む工程と、その後、一次樋を、底板が上向きとなる方向に回動させるとともに、二次樋から上方に移動させて折返し片にあらかじめ設けられている乾式防水材を前記取付片に密着させる工程と、を実行する。
したがって、折返し片は取付片に対して下方から上方に移動して当接するため、折返し片を取付片に対してスライドさせて当接させるものと比較して、両者の間に介在された乾式防水材と擦れ合うのを抑制し、この擦れ合いが生じるものと比較して、乾式防水材との密着性を高く保持し、水密性を向上することができる。
また、請求項９に記載の発明では、一次樋の設置時に、一次樋を、底板を起立状態として第１立上片を軒先と前記二次樋との間に差し込み樋側係合部を金具側係合部よりも奥に配置させる工程と、その後、前記一次樋を、前記底板を起立状態として前記第１立上片を前記軒先と前記二次樋との間に差し込み前記樋側係合部を前記金具側係合部よりも奥に配置させる工程と、その後、前記一次樋を、前記底板が上向きとなる方向に回動させるとともに、前記二次樋から上方に移動させながら前記樋側係合部を前記金具側係合部に係合させて、前記折返し片にあらかじめ設けられている乾式防水材を前記取付片に密着させる工程と、を実行する。
したがって、樋側係合部を金具側係合部に係合させた時点からは、折返し片の長手軸直交方向への移動が規制され、折返し片にあらかじめ設けられている乾式防水材を、取付片のあらかじめ接着させるべき位置に密着させることができ、水密性をより確実に得ることができる。
【図面の簡単な説明】
【００１６】
【図１】本発明の実施の形態１の樋装置Ａを設置したユニット建物の主要部の断面図であり、図５のＳ１−Ｓ１線で切断した状態を示している。
【図２】実施の形態１の樋装置Ａを設置したユニット建物の断面図であり、図５のＳ２−Ｓ２線で切断した状態を示している。
【図３】実施の形態１の樋装置Ａを設置したユニット建物の断面図であり、図５のＳ３−Ｓ３線で切断した状態を示している。
【図４】図１の要部の拡大断面図である。
【図５】実施の形態１の樋装置Ａを設置したユニット建物の概略平面図である。
【図６】実施の形態１の樋装置Ａの施工手順の説明図であり、（ａ）は一次樋３１を起立させて第１立上片３１１を軒先２０の下に差し込んだ状態を示し、（ｂ）は第１立上片３１１の係合片３１５を軒先受金具２４の係合片２４ｃに係合させて一次樋３１を回動させた状態を示し、（ｃ）は一次樋３１をさらに回動させた状態を示している。
【図７】本発明の実施の形態２の樋装置を設置したユニット建物の主要部の断面図である。
【図８】実施の形態２の樋装置Ａの施工手順の説明図であり、（ａ）は一次樋３１を起立させて第１立上片３１１を軒先２０の下に差し込んだ状態を示し、（ｂ）は（ａ）の状態から一次樋３１を回動させた状態を示し、（ｃ）は一次樋３１を（ｂ）の状態からさらに回動させて第１立上片３１１の係合片３１５を軒先受金具２４の係合片２４ｃに係合させて状態を示している。
【発明を実施するための形態】
【００１７】
以下、本発明の実施の形態について、添付図面を参照しながら説明する。
実施の形態１の樋装置Ａは、図５に示すユニット建物ＵＨに適用されている。このユニット建物ＵＨは、工場で製作された建物ユニットＵ１，Ｕ２および図示を省略した複数の建物ユニットを建築現場で水平方向および上下方向に結合させて形成されている。この図５は、ユニット建物ＵＨの概略平面図であり、建物ユニットＵ１，Ｕ２は、最上階に配置されたものを示している。このユニット建物ＵＨの屋根ＲＦは、これら最上階の建物ユニットＵ１、Ｕ２の上部にそれぞれ結合された屋根ユニットＲＵにより形成されている。
【００１８】
ここで、まず、建物ユニットＵ１，Ｕ２について簡単に説明すると、これら建物ユニットＵ１，Ｕ２は、詳細な図示は省略するが両者は同様の構成であり、四隅に配置された鋼製の柱と、その柱の上端間および下端間に架け渡された鋼製の梁部材とによって、ボックス形ラーメン構造に形成されている。梁部材のうち、図１〜図３には柱の上端間に架け渡された断面Ｌ字状の屋根梁１１ａ，１１ｂを示している。屋根梁１１ａは、建物ユニットＵ１，Ｕ２の平面で見て長方形の長辺部分に沿って設置されたものを示し、屋根梁１１ｂは、建物ユニットＵ１，Ｕ２の長方形の短辺部分に沿って設置されたものを示している。
【００１９】
また、これらの建物ユニットＵ１，Ｕ２は、居室ＲＭを形成するものであり、その外周側面は、外壁材１２で覆われている。
ユニット建物ＵＨの屋根ＲＦは、いわゆる陸屋根タイプのものであり、本実施の形態１では、図５の矢印Ｋで示す方向に沿って下る屋根勾配が形成され、この屋根勾配の下端に位置する軒先２０に樋装置Ａが設置されている。
【００２０】
屋根ユニットＲＵは、図１に示すように、建物ユニットＵ１，Ｕ２の短辺方向に架け渡された複数の垂木２１と、この垂木２１に支持された屋根材２２と、を備えている。
【００２１】
垂木２１は、図２に示すように、長手方向の両端部に金属板製の垂木支持フレーム２１ａが固定され、この垂木支持フレーム２１ａが、建物ユニットＵ１，Ｕ２の屋根梁１１ａに固定されている。
【００２２】
屋根材２２は、図１に示すように、垂木２１に支持された野地板２２ａと、この野地板２２ａの上面に敷設されたルーフィング２２ｂと、このルーフィング２２ｂの上面に敷設された溝板２２ｃと、を備えている。野地板２２ａは、屋根の支持材で木製の合板で形成されている。ルーフィング２２ｂは、防水用のシート材であり、本実施の形態では、フェルト状の原紙にアスファルトを浸透、被覆し表裏面に鋼物質粉末を付着させたものを使用している。溝板２２ｃは、金属板を折曲して形成されており、複数のものを屋根勾配に直交する方向に並設している。
【００２３】
屋根ユニットＲＵにおいて、ユニット建物ＵＨの外周位置には、図１〜図３に示すように、庇２３が設けられている。この庇２３は、屋根梁１１ａ，１１ｂに結合された庇支持ブラケット２３ａに支持された笠木ブラケット２３ｂに笠木２３ｃを固定して形成されている。
屋根材２２は、図１に示すように、屋根勾配の最も低くなった軒先２０が庇２３から離されて配置されている。一方、屋根勾配に直交する方向の両端部は、図２、図３に示すように、庇２３に結合されており、また、図示は省略するが、屋根勾配の最も高くなった側の端部も、同様に庇２３に結合されている。
【００２４】
図２、図３に示す屋根材２２の庇２３への結合箇所では、溝板２２ｃの端縁部を立ち上げＬ字状に折曲して、庇支持ブラケット２３ａに固定している。また、庇支持ブラケット２３ａには、Ｌ字断面形状のルーフィング押さえ金具２４Ａが固定されており、ルーフィング２２ｂにおいて、野地板２２ａの端縁から延在された部分が庇２３に沿って立ち上げられて、溝板２２ｃの端縁部とルーフィング押さえ金具２４Ａとに挟持されている。
【００２５】
屋根材２２において屋根勾配の最も低くなった部分である軒先２０には、図１に示すように、その上面に軒先２０の全長に亘って軒先カバー２２ｄが取り付けられており、かつ、裏面の先端よりも少し引き込んだ位置に、軒先２０の全長に亘って軒先受金具２４が取り付けられている。
【００２６】
この軒先受金具２４は、金属薄板により形成されており、溝板２２ｃの下面に固定された固定用部材２５の下面にネジやビスにより固定された基部２４ａと、この基部２４ａから斜め下方に伸びる取付片２４ｂと、この取付片２４ｂの先端から垂下された係合片（係合部）２４ｃとを備えている（図４参照）。
【００２７】
実施の形態１の樋装置Ａは、軒先２０と庇２３との間において、軒先２０の全長に亘り設けられている。
この樋装置Ａは、一次樋３１と、この一次樋から溢れた雨水を受け止める二次樋３２とを備えている。
【００２８】
二次樋３２は、金属製の第１立上片３２１および第２立上片３２２と底板３２３とにより二次樋３２の延在方向である長手軸方向に対し直交方向に切断した断面形状が凹状に形成されており、野地板２２ａの端部に固定された樋支持フレーム３２ａと、庇２３の下部において屋根梁１１ｂに固定された樋支持フレーム３２ｂとにより幅方向の両端部を支持されている。なお、野地板２２ａに固定された樋支持フレーム３２ａは、長手方向の両端部が、図３に示すように、建物ユニットＵ１，Ｕ２の長辺に沿って延在された屋根梁１１ａに固定されたＣ型断面形状のチャンネル材１３に固定されている。
【００２９】
図１に戻り、樋支持フレーム３２ｂには、起立ブラケット３２ｃが立設されてコーナ部が形成され、このコーナ部に二次樋３２の第２立上片３２２と底板３２３とによるコーナ部が当接されて二次樋３２の延在方向に直交する方向（屋根勾配の方向）の位置決めが成されている。また、第２立上片３２２の上端は、起立ブラケット３２ｃの折り返し部分に挿入されている。
【００３０】
一方、第１立上片３２１と底板３２３とで形成されたコーナ部の内面は、ルーフィング２２ｂを延長させた延長部２２１で覆われて、居室ＲＭ側と遮断されている。
そして、底板３２３の上方であって、軒先２０と庇２３との間の位置に、一次樋３１が設置されている。
【００３１】
一次樋３１は、建築現場における現場作業により屋根ユニットＲＵに取り付けられる。この一次樋３１は、二次樋３２と同様に金属薄板により形成されており、第１立上片３１１および第２立上片３１２と、その間の底板３１３とにより長手軸方向に対して直交方向に切断した断面形状が凹断面形状に形成されている。
軒先２０側の第１立上片３１１の上端部には、図４に示すように、底板３１３と対向するように折り曲げられた折返し片３１４が形成され、さらに、この折返し片３１４の先端から下方に係合片（樋側係合片）３１５が垂下されている。
【００３２】
この折返し片３１４および係合片３１５により略Ｌ字状に形成された折曲部が、軒先受金具２４の取付片２４ｂと係合片２４ｃとにより形成された折曲部に突き当てられた状態で、折返し片３１４が取付片２４ｂにビス止めされている。
【００３３】
さらに、本実施の形態１では、折返し片３１４と取付片２４ｂとの間に乾式防水材３３が設けられている。この乾式防水材３３としては、本実施の形態１では、ブチルテープが用いられている。このブチルテープを用いた乾式防水材３３は、あらかじめ折返し片３１４に接着されており、かつ、その上面の接着面は、当初離型紙で覆われている。そして、施工時に、この乾式防水材３３（ブチルテープ）の接着面を覆う離型紙を剥がした上で取付片２４ｂに接着する。
【００３４】
また、第１立上片３１１には、一次樋３１を二次樋３２の底板３２３から上方に離間した位置で支持する樋支持部材３４がビス止めされている。この樋支持部材３４は、第１立上片３１１と折返し片３１４とに沿う断面逆Ｌ字状に形成された基部３４ａと、この基部３４ａの下端に連続して第１立上片３１１に沿う位置から底板３１３の下方へ向けて斜め下方に伸びる傾斜片３４ｂとを備えている。さらに、傾斜片３４ｂの先端部には、二次樋３２の底板３２３に面当たりする当接部３４ｃが設けられている。この傾斜片３４ｂは、図１に示すように、一次樋３１が二次樋３２に対して正規の位置、すなわち、折返し片３１４に接着された乾式防水材３３が、軒先２０に固定された軒先受金具２４の取付片２４ｂに押し付けて圧縮することのできる高さに配置できる長さにおよび角度に形成されている。しかも、傾斜片３４ｂは、図１に示す一次樋３１の設置状態において、当接部３４ｃを、係合片２４ｃよりも軒先２０の奥側に配置した状態から、後述の当接部３４ｃを支点として一次樋３１を回動させた時に係合片３１５を係合片２４ｃに軒先２０の奥側から係合させることが可能な寸法に形成されている。
【００３５】
また、一次樋３１の設置状態で、取付片２４ｂは、基部２４ａに片持ち状態で斜め下方に延在されていることにより、上方に弾性変形して、乾式防水材３３が過剰に圧縮されるのを抑制している。
【００３６】
一次樋３１の第２立上片３１２は、図１に示すように、庇２３の上端部まで立ち上げられており、さらに、第２立上片３１２の上端から、庇２３の内側へ逆Ｌ字状に折曲され、ルーフィング押さえ金具２４Ａと同様に庇支持ブラケット２３ａに固定された支持金具３５に支持されている。
【００３７】
次に、樋装置Ａの施工手順を説明する。
（工場）
屋根ユニットＲＵは、工場で組み付けられ、樋装置Ａのうち二次樋３２は、屋根ユニットＲＵにあらかじめ設置されている。同様に、軒先受金具２４も、あらかじめ屋根ユニットＲＵに設置されている。
一方、一次樋３１は、屋根ユニットＲＵに組み付けられることなく、現場に運ばれる。なお、一次樋３１の折返し片３１４には、あらかじめ乾式防水材３３が接着されており、この乾式防水材３３の折返し片３１４への接着面とは反対側の接着面は、図示を省略した離型紙で覆われている。また、一次樋３１には、樋支持部材３４もあらかじめ取り付けておく。
【００３８】
（現場作業）
建築現場では、建物ユニットＵ１，Ｕ２の結合を行った後、これら建物ユニットＵ１，Ｕ２の上部に、それぞれ、屋根ユニットＲＵを結合する。
その後、建築現場において、一次樋３１を設置した後、溝板２２ｃの先端に軒先カバー２２ｄを設置する。
【００３９】
ここで、一次樋３１の設置作業を説明する。
まず、一次樋３１に接着された乾式防水材３３の接着面の図示を省略した離型紙を剥がした後、第１立上片３１１を下にして底板３１３が上下方向に延在されるように起立させた状態で、第１立上片３１１を、図６（ａ）に示すように、第１立上片３１１の係合片３１５が、軒先受金具２４の係合片２４ｃよりも軒先２０の奥に配置される位置まで、軒先２０と二次樋３２との間に差し込む。
【００４０】
次に、一次樋３１を、底板３１３が上向きとなるよう、長手軸方向に延在する軸を中心に図において反時計回り方向に回動させる。このとき、一次樋３１は、まず、図６（ｂ）に示すように、第１立上片３１１と底板３１３との角部を支点として回動し、これに伴い、第１立上片３１１の係合片３１５と、軒先受金具２４の係合片２４ｃとが水平方向に係合する。
【００４１】
さらに、この係合状態を維持させながら、一次樋３１を、図において反時計回り方向に回動させる。
このような一次樋３１の回動過程において、図６（ｂ）、（ｃ）に示すように、軒先受金具２４のＬ字の折曲部分と一次樋３１のＬ字の折曲部分とが図示のように重なり合った時点で、折返し片３１４に接着された乾式防水材３３の接着面が軒先受金具２４の取付片２４ｂに接着される。この接着後は、取付片２４ｂは、一次樋３１の回動に伴い、弾性変形して折返し片３１４と一体的に移動する。
【００４２】
また、一次樋３１を上記のように回動させるのに伴い、図６（ｂ）（ｃ）に示すように、樋支持部材３４の傾斜片３４ｂが二次樋３２の底板３２３に接した後に、その先端の当接部３４ｃを支点として起きあがるように回動し、一次樋３１は、二次樋３２の底板３２３から上方に移動するとともに、上記係合による位置規制により、第１立上片３１１側の部分が軒先２０の奥方向へ移動し、図１に示す高さで、樋支持部材３４に支持される。なお、この一次樋３１の回動の際に、樋支持部材３４の傾斜片３４ｂは、過剰な荷重がかかった際には、弾性変形して荷重を吸収することも可能である。
【００４３】
その後、折返し片３１４と取付片２４ｂとをビス止めし、さらに、軒先カバー２２ｄを溝板２２ｃに取り付ける。
【００４４】
（実施の形態１の効果）
ａ）軒先２０に取り付けられた軒先受金具２４の取付片２４ｂと一次樋３１との間に乾式防水材３３が介在されて、一次樋３１から溢れて二次樋３２に向かう雨水を遮断するようにしている。このため、一次樋３１から溢れて二次樋３２に向かう雨水量を抑えることができ、水密性を向上させることができる。しかも、防水材として乾式防水材３３を用いたため、湿式のものと比較して、設置が容易である。
【００４５】
ｂ）二次樋３２の第１立上片３２１と野地板２２ａとの間を、ルーフィング２２ｂの延長部２２１で覆っており、一次樋３１で受けられた雨水が第１立上片３１１を乗り越えて溢れた場合に、この雨水が二次樋３２の第１立上片３２１を乗り越えるのを抑制して、高い水密性を得ることができる。
【００４６】
ｃ）一次樋３１を二次樋３２に対してあらかじめ設定された高さに支持するに樋支持部材３４が傾斜片３４ｂを有した形状とした。このため、一次樋３１の設置時に、一次樋３１を回動させる際には、回動初期には、樋支持部材３４が底板３２３に沿って軒先２０の奥側に円滑にスライドするとともに、そのスライド後には、傾斜片３４ｂの先端の当接部３４ｃが回動の支点となって、一次樋３１を上方に持ち上げるガイドとなるため、設置作業が容易となる。しかも、一次樋３１の回動時に、当接部３４ｃが支点となることで、レバー比を得ることができ、一次樋３１の回動を円滑に行うことができる。
【００４７】
ｄ）上記ｃ）のように、一次樋３１を回動させながら二次樋３２に対して上方に移動させるようにしたため、折返し片３１４と取付片２４ｂと乾式防水材３３を介して当接する際に、両者が上下方向に移動しながら当接し、両者が水平方向にスライドしながら当接するものと比較して、乾式防水材３３が擦れ合うのを抑制し、折返し片３１４と取付片２４ｂと乾式防水材３３との密着性を高く保持して高い水密性を得ることができる。
【００４８】
ｅ）軒先受金具２４の取付片２４ｂの先端から係合片２４ｃを垂下させて、一次樋３１の設置時には、この係合片２４ｃに、一次樋３１の係合片３１５を係合させることで、軒先受金具２４に対する一次樋３１の長手軸に直交する方向の位置決めが成される。したがって、一次樋３１を回動させたときに、折返し片３１４に接着された乾式防水材３３を取付片２４ｂに正確に密着させることが可能となった。
しかも、軒先受金具２４の取付片２４ｂの先端から係合片２４ｃを垂下させて断面Ｌ字状に形成するとともに、一次樋３１の折返し片３１４から係合片３１５を垂下させて断面Ｌ字状に形成した。このため、一次樋３１を設置した際に、取付片２４ｂと折返し片３１４とが２面で同時に当接するため、上記のように接着箇所の位置決めが容易であるとともに、折返し片３１４および取付片２４ｂと乾式防水材３３との接触性が安定し、水密性が良好となる。
【００４９】
ｆ）取付片２４ｂは、基部２４ａに片持ちとして、基部２４ａを支点として弾性変形するように形成した。したがって、一次樋３１の設置作業の際に、一次樋３１が取付片２４ｂを上方に押し上げた際には、取付片２４ｂが基部２４ａを支点として弾性変形することで、軒先受金具２４および一次樋３１の破損を抑制できる。さらに、一次樋３１の折返し片３１４を取付片２４ｂに当接させた際に、取付片２４ｂを強く押圧した場合にも、取付片２４ｂが基部２４ａを支点として弾性変形して、過剰な押圧力を逃がして、乾式防水材３３が過剰に圧縮されるのを抑制し、乾式防水材３３の防水性能を高いレベルで保持することができる。しかも、一次樋３１の設置状態では、軒先受金具２４の取付片２４ｂの弾性力に基づいて、取付片２４ｂと一次樋３１の折返し片３１４との乾式防水材３３に対する密着度があらかじめ設定された状態に維持され、これにより、所望の水密性を確保できる。
【００５０】
ｇ）一次樋３１の設置作業時に、一次樋３１を、起立状態として第１立上片３１１をその上端部から軒先２０の下方へ差し込み、係合片３１５と係合片２４ｃとを係合させる工程と、この係合状態で、一次樋３１を、底板３１３が上向きとなる方向へ長手軸方向に延びる軸を中心として回動させながら二次樋３２から上方に移動させ、これにより、折返し片３１４にあらかじめ設けられた乾式防水材３３を取付片２４ｂに密着させる工程と、を実行するようにした。
したがって、折返し片３１４は、取付片２４ｂに対して下方から上方に移動して当接するため、両者を水平方向にスライドさせて当接させるものと比較して、両者が乾式防水材３３と擦れ合うのを抑制し、乾式防水材３３との密着性を高く保持し、水密性を向上することができる。
さらに、軒先受金具２４の係合部は、取付片２４ｂと係合片２４ｃとで断面Ｌ字状に形成するとともに、一次樋３１の折返し片３１４の先端部にも、係合片３１５を設けて断面Ｌ字状に形成した。したがって、両者が係合した時点からは、折返し片３１４の長手軸直交方向への移動が規制され、折返し片３１４にあらかじめ設けられている乾式防水材３３を、取付片２４ｂのあらかじめ接着させるべき位置に正確に密着させることができ、水密性をより確実に得ることができる。
【００５１】
（他の実施の形態）
以下に、他の実施の形態の樋装置について説明する。
なお、他の実施の形態を説明するのにあたり、実施の形態１と同じ構成については同じ符号を付けて説明を省略する。作用についても、実施の形態１と相違する作用について説明し、実施の形態１と同じ作用については説明を省略する。
【００５２】
（実施の形態２）
実施の形態２の樋装置は、樋支持部材２３４を、二次樋３２に設けた例である。以下、その詳細を図７および図８に基づいて説明する。
【００５３】
樋支持部材２３４は、図７に示すように、二次樋３２の底板３２３において、軒先２０の下方位置に固定されており、金属薄板により形成され、固定部２３４ａ、傾斜ガイド部（傾斜片）２３４ｂ、樋支持部２３４ｃ、脚部２３４ｄ、脚支持部２３４ｅを備えている。
【００５４】
傾斜ガイド部２３４ｂは、底板３２３に固定された固定部２３４ａから、軒先２０の奥側に進むほど高くなるように傾斜されており、その上端部には、樋支持部２３４ｃが略水平に設けられている。脚部２３４ｄは、樋支持部２３４ｃから垂下されており、この脚部２３４ｄに連続し、底板３２３に当接する脚支持部２３４ｅが設けられている。
【００５５】
この樋支持部材２３４は、あらかじめ工場において二次樋３２に設置されており、一次樋３１を現場にて設置する際に、一次樋３１の回動操作をガイドするものであり、その作用を図８に基づいて説明する。
【００５６】
一次樋３１の設置時には、実施の形態１と同様に、図８（ａ）に示すように、一次樋３１を、第１立上片３１１を下にして底板３１３が上下方向に延在されるように起立させた状態で、第１立上片３１１を、軒先２０と二次樋３２との間に差し込んで奥方向にスライドさせる。
【００５７】
このスライドに伴い、一次樋３１の第１立上片３１１の上端角部が、図８（ｂ）に示すように、傾斜ガイド部２３４ｂの傾きに沿って斜め上方へ移動される。この第１立上片３１１の上端角部の上方移動に伴って、一次樋３１では底板３１３を寝かせる方向の回動が生じ、作業者は、この回動にアシストされながら、一次樋３１を、長手軸方向に沿って延びる軸を中心に図において反時計回り方向に回動させる。
【００５８】
このような一次樋３１の回動過程において、実施の形態１と同様に、図８（ｂ）（ｃ）に示すように、軒先受金具２４のＬ字の折曲部分と一次樋３１のＬ字の折曲部分とが係合し、さらに、両者が重なり合った時点で、折返し片３１４に接着された乾式防水材３３の接着面が軒先受金具２４の取付片２４ｂに接着される。また、一次樋３１の回動に伴い、取付片２４ｂは、弾性変形しながら折返し片３１４と一体的に上方へ変位する。
【００５９】
そして、一次樋３１の第１立上片３１１の下端の角部が、樋支持部材２３４の樋支持部２３４ｃに達した時点で、図７に示すように、一次樋３１は、底板３１３が略水平となってあらかじめ設定された高さに達し、一次樋３１の折返し片３１４が、乾式防水材３３を介して軒先受金具２４の取付片２４ｂに密着される。
【００６０】
その後、折返し片３１４と取付片２４ｂとをビス止めし、さらに、軒先カバー２２ｄを溝板２２ｃに取り付ける。
【００６１】
以上説明したように、実施の形態２の樋装置にあっては、樋支持部材２３４を二次樋３２に設け、一次樋３１の設置作業時に、一次樋３１を起立させた状態で軒先２０に差し込んだ際に、傾斜ガイド部２３４ｂによるガイドに基づいて、一次樋３１を寝かせる方向へ回動させるとともに、一次樋３１を徐々に二次樋３２から上方へ移動させるようガイドする。したがって、作業性に優れる。
【００６２】
加えて、傾斜ガイド部２３４ｂの上端に、樋支持部２３４ｃを設け、この位置で一次樋３１を支持するようにしたため、一次樋３１の設置状態では、軒先受金具２４の取付片２４ｂを弾性変形させ、取付片２４ｂと一次樋３１の折返し片３１４との乾式防水材３３に対する密着度をあらかじめ設定された状態とし、所望の水密性を確保できる。
また、実施の形態２にあっても、実施の形態１と同様に上記ａ）ｂ）ｄ）ｅ）ｆ）ｇ）に記載の効果を得ることができる。
【００６３】
以上、本発明の実施の形態について説明したが、本発明はこうした実施の形態に限定されるものではなく、本発明の要旨を逸脱しない範囲内において種々の変形および置換を加えることができる。
【００６４】
例えば、軒先受金具は、一次樋を取り付ける取付片を備えていればよく、その形状は、実施の形態１で示したものに限定されない。具体的には、実施の形態１で示した軒先受金具は、取付片を片持ちとして弾性変形可能としたが、両持ち支持としてもよい。また、金具側係合部の形状も、実施の形態１で示した係合片２４ｃのように、取付片２４ｂから断面Ｌ字状となるように垂下させたものに限定されず、Ｖ字断面形状や湾曲断面形状などの他の形状に形成してもよい。樋側係合部についても、金具側係合部と係合可能であれば、どのような形状でもよく、折返し片の先端をそのまま樋側係合部としてもよい。
【符号の説明】
【００６５】
２０   軒先
２４   軒先受金具
２４ａ 基部
２４ｂ 取付片（ガイド部）
２４ｃ 係合片（金具側係合部）
３１   一次樋
３２   二次樋
３３   乾式防水材
３４   樋支持部材
３４ｂ 傾斜片
３４ｃ 当接部（先端部）
２３４ 樋支持部材
２３４ｂ  傾斜ガイド部（ガイド部：傾斜片）
３１１ 第１立上片
３１２ 第２立上片
３１３ 底板
３１４ 折返し片
３１５ 係合片（樋側併合部）
３２１ 第１立上片
３２２ 第２立上片
３２３ 底板
Ａ     樋装置
ＲＦ   屋根
ＲＵ   屋根ユニット
Ｕ１   建物ユニット
Ｕ２   建物ユニット
ＵＨ   ユニット建物
【図１】
0005438643.tif 000002
【図２】
0005438643.tif 000003
【図３】
0005438643.tif 000004
【図４】
0005438643.tif 000005
【図５】
0005438643.tif 000006
【図６】
0005438643.tif 000007
【図７】
0005438643.tif 000008
【図８】
0005438643.tif 000009